(57)【特許請求の範囲】
【請求項１】
Ｘ線検出部と、孔部が形成されるとともに前記Ｘ線検出部の側方に配設された持ち手部とを有し、前記持ち手部の端部と前記持ち手部と対向する側の第１の辺との距離が、前記持ち手部および前記第１の辺と直交する側の第２、第３の辺間の距離より大きい可搬型Ｘ線検出器を、トレイに対して互いに直交する第１の位置と第２の位置とに選択的に装着するためのＸ線検出器装着装置であって、
前記トレイに配設され、前記可搬型Ｘ線検出器の一端に当接可能な当接部材と、前記トレイに配設され、前記可搬型Ｘ線検出器を前記当接部材に向けて付勢する押さえ部材とを備え、
前記押さえ部材は、
前記第１の辺が前記当接部材と当接する状態において、前記持ち手部の端縁と当接して前記可搬型Ｘ線検出器を前記当接部材方向に押圧する第１係合部と、
前記第２の辺が前記当接部材と当接する状態において、前記第３の辺と当接して前記可搬型Ｘ線検出器を前記当接部材方向に押圧するとともに、前記第１の辺が前記当接部材と当接する状態において、前記持ち手部に形成された孔部内に配置される第２係合部と、
を有し、
前記押さえ部材には、前記可般型Ｘ線検出器を前記トレイから取り外すときに使用される孔部が形成されるとともに、
前記トレイには、当該トレイを撮影位置と可搬型Ｘ線検出器の着脱位置との間で移動させるための取っ手が配設され、
前記持ち手部の端縁と前記第１係合部とが当接しているときの前記押さえ部材の孔部と前記取っ手との距離と、前記第３の辺と前記第２係合部とが当接しているときの前記押さえ部材の孔部と前記取っ手との距離とが一致することを特徴とするＸ線検出器装着装置。
【発明の詳細な説明】
【技術分野】
【０００１】
この発明は、可搬型Ｘ線検出器をトレイに装着するためのＸ線検出器装着装置に関する。
【背景技術】
【０００２】
立位撮影台や臥位撮影台を備えたＸ線透視撮影装置においては、可搬型Ｘ線検出器が使用される。この可搬型Ｘ線検出器は、フラットパネルディテクタ等のＸ線検出部と、このＸ線検出部の側方に配設された持ち手部とを備え、持ち手部に形成された孔部内に指先を入れることにより、その搬送を容易としたものである。この可搬型Ｘ線検出器は、トレイに装着された状態でカバー等からなるＸ線検出器収納部に収納される。
【０００３】
この可搬型Ｘ線検出器をＸ線検出器収納部に収納するときには、その基準位置が、Ｘ線検出器収納部の上端を基準とする上基準、Ｘ線検出器収納部の中央を基準とするセンター基準、Ｘ線検出器収納部の下端を基準とする下基準で位置決めされ、バネ等を利用してトレイ等に機械的に固定された後、Ｘ線検出器収納部に収納する構成となっている（特許文献１参照）。
【先行技術文献】
【特許文献】
【０００４】
【特許文献１】特開２００５−１９８８８１号公報
【発明の概要】
【発明が解決しようとする課題】
【０００５】
図１０および図１１は、従来の装置において可搬型Ｘ線検出器１をトレイ１１に装着した状態を示す説明図である。なお、図１０（ｂ）は図１０（ａ）の部分拡大図であり、図１１（ｂ）は図１１（ａ）の部分拡大図である。
【０００６】
可般型Ｘ線検出器１は、フラットパネルディテクタ等の長方形のＸ線検出部２と、このＸ線検出部２の側方に配設された持ち手部３とから構成される。持ち手部３には、搬送を容易とするための孔部４が形成されている。一方、トレイ１１は、図示しないレール等の案内部材の作用により、Ｘ線検出器収納部１７内から側方に引き出し可能な構成を有する。このトレイ１１には、可般型Ｘ線検出器１を位置決めするための複数個の当たり部材１２、１３、１４が配設されている。また、このトレイ１１には、可般型Ｘ線検出器１を固定するための押さえ部材１５が配設されている。この押さえ部材１５は、図示しないバネの作用により、可般型Ｘ線検出器１を当たり部材１２、１３方向に付勢する。また、この押さえ部材１５には、孔部１６が形成されている。さらに、トレイ１１におけるＸ線検出器収納部１７とは逆側の端部には、取っ手１８が付設されている。
【０００７】
図１０に示すように、可般型Ｘ線検出器１が縦長のポートレート撮影を実行するために第１の位置に配置される場合においては、可般型Ｘ線検出器１の左端部は当たり部材１２、１３と当接して位置決めされ、持ち手部３が押さえ部材１５により押圧されることにより、可般型Ｘ線検出器１はトレイ１１に固定される。一方、図１１に示すように、可般型Ｘ線検出器１が横長のランドスケープ撮影を実行するために第２の位置に配置される場合においては、可般型Ｘ線検出器１の左端部は当たり部材１２、１３と当接して位置決めされ、可般型Ｘ線検出器１の側面が押さえ部材１５により押圧されることにより、可般型Ｘ線検出器１はトレイ１１に固定される。
【０００８】
ところで、一般的に、このような可般型Ｘ線検出器１においては、持ち手部３の端部とこの持ち手部３と対向する側の辺との距離は、持ち手部３やこれに対向する辺と直交する側の一対の辺間の距離より大きくなっている。このため、図１０に示すように可般型Ｘ線検出器１がポートレート撮影を実行するために第１の位置に配置された場合の押さえ部材１５の孔部１６と取っ手１８との距離ａは、図１１に示すように可般型Ｘ線検出器１が横長のランドスケープ撮影を実行するために第２の位置に配置された場合の押さえ部材１５の孔部１６と取っ手１８との距離ｂより小さいことになる。
【０００９】
オペレータが可般型Ｘ線検出器１をトレイ１１から取り外すときには、押さえ部材１５の孔部１６と取っ手１８とを、手で一緒に握ることにより、押さえ部材１５を可般型Ｘ線検出器１から離隔させた後、この可般型Ｘ線検出器１をトレイ１１から離隔させて取り外すようにしている。このような場合に、押さえ部材１５の孔部１６と取っ手１８との距離が大きく変化した場合には、オペレータが押さえ部材１５の孔部１６と取っ手１８とを握るときの感覚が大きく異なり、可般型Ｘ線検出器１をトレイ１１から取り外すときにミスが生ずる場合がある。
【００１０】
この発明は上記課題を解決するためになされたものであり、可般型Ｘ線検出器の方向にかかわらず可般型Ｘ線検出器をトレイから取り外すときの感覚を一定にして、可般型Ｘ線検出器を確実にトレイから取り外せるようにしたＸ線検出器装着装置を提供することを目的とする。
【課題を解決するための手段】
【００１１】
請求項１に記載の発明は、Ｘ線検出部と、孔部が形成されるとともに前記Ｘ線検出部の側方に配設された持ち手部とを有し、前記持ち手部の端部と前記持ち手部と対向する側の第１の辺との距離が、前記持ち手部および前記第１の辺と直交する側の第２、第３の辺間の距離より大きい可搬型Ｘ線検出器を、トレイに対して互いに直交する第１の位置と第２の位置とに選択的に装着するためのＸ線検出器装着装置であって、前記トレイに配設され、前記可搬型Ｘ線検出器の一端に当接可能な当接部材と、前記トレイに配設され、前記可搬型Ｘ線検出器を前記当接部材に向けて付勢する押さえ部材とを備え、前記押さえ部材は、前記第１の辺が前記当接部材と当接する状態において、前記持ち手部の端縁と当接して前記可搬型Ｘ線検出器を前記当接部材方向に押圧する第１係合部と、前記第２の辺が前記当接部材と当接する状態において、前記第３の辺と当接して前記可搬型Ｘ線検出器を前記当接部材方向に押圧するとともに、前記第１の辺が前記当接部材と当接する状態において、前記持ち手部に形成された孔部内に配置される第２係合部とを有し、前記押さえ部材には、前記可般型Ｘ線検出器を前記トレイから取り外すときに使用される孔部が形成されるとともに、前記トレイには、当該トレイを撮影位置と可搬型Ｘ線検出器の着脱位置との間で移動させるための取っ手が配設され、前記持ち手部の端縁と前記第１係合部とが当接しているときの前記押さえ部材の孔部と前記取っ手との距離と、前記第３の辺と前記第２係合部とが当接しているときの前記押さえ部材の孔部と前記取っ手との距離とが一致することを特徴とする。
【発明の効果】
【００１２】
請求項１に記載の発明によれば、可般型Ｘ線検出器の方向を９０度変更した場合においても、押さえ部材の配置を一定に維持することができる。このため、可般型Ｘ線検出器を確実にトレイから取り外すことが可能となる。
【００１３】
また、可般型Ｘ線検出器の方向を９０度変更した場合においても、押さえ部材の孔部と取っ手との距離を一定に維持することができる。このため、押さえ部材の孔部と取っ手とを一緒に握って可般型Ｘ線検出器をトレイから取り外すときの感覚を一定とすることができ、可般型Ｘ線検出器を確実にトレイから取り外すことが可能となる。
【図面の簡単な説明】
【００１４】
【図１】この発明に係るＸ線検出器装着装置を適用するＸ線透視撮影装置の斜視図である。
【図２】この発明に係るＸ線検出器装着装置を適用するＸ線透視撮影装置の他の実施形態を示す斜視図である。
【図３】可搬型Ｘ線検出器１を第１の位置に配置しトレイ３１に装着した状態を示す説明図である。
【図４】可搬型Ｘ線検出器１を第２の位置に配置しトレイ３１に装着した状態を示す説明図である。
【図５】押さえ部材４１の移動機構を示す側断面図である。
【図６】第１の位置に配置された可般型Ｘ線検出器１をトレイ３１から取り外す様子を示す概要図である。
【図７】第１の位置に配置された可般型Ｘ線検出器１をトレイ３１から取り外す動作を示す説明図である。
【図８】第２の位置に配置された可般型Ｘ線検出器１をトレイ３１から取り外す様子を示す概要図である。
【図９】第２の位置に配置された可般型Ｘ線検出器１をトレイ３１から取り外す動作を示す説明図である。
【図１０】従来の装置において可搬型Ｘ線検出器１をトレイ１１に装着した状態を示す説明図である。
【図１１】従来の装置において可搬型Ｘ線検出器１をトレイ１１に装着した状態を示す説明図である。
【発明を実施するための形態】
【００１５】
以下、この発明の実施の形態を図面に基づいて説明する。まず、この発明に係るＸ線検出器装着装置を適用するＸ線透視撮影装置の構成について説明する。図１は、この発明に係るＸ線検出器装着装置を適用するＸ線透視撮影装置の斜視図である。
【００１６】
このＸ線透視撮影装置は、立位撮影台を備えるものであり、後述する可般型Ｘ線検出器１をトレイに装着した状態で収納するＸ線検出器収納部２３を有する。このＸ線検出器収納部２３は、被検者Ｍの体格にあわせて、支柱２２に対して昇降可能に構成されている。図示しないＸ線管から照射されたＸ線は、被検者Ｍを通過した後、Ｘ線検出器収納部２３内の可般型Ｘ線検出器１により検出されることにより、Ｘ線撮影が実行される。
【００１７】
図２は、この発明に係るＸ線検出器装着装置を適用するＸ線検出器の他の実施形態を示す斜視図である。
【００１８】
このＸ線透視撮影装置は、臥位撮影台を備えるものであり、後述する可般型Ｘ線検出器１をトレイに装着した状態で収納するＸ線検出器収納部２３を有する。このＸ線検出器収納部２３は、基台２５と、被検者Ｍを載置するテーブル２４との間に配設されている。このＸ線透視撮影装置においても、図示しないＸ線管から照射されたＸ線は、被検者Ｍを通過した後、Ｘ線検出器収納部２３内の可般型Ｘ線検出器１により検出されることにより、Ｘ線撮影が実行される。
【００１９】
次に、この発明に係るＸ線検出器装着装置の構成について説明する。図３および図４は、可搬型Ｘ線検出器１をトレイ３１に装着した状態を示す説明図である。なお、図３は、可般型Ｘ線検出器１が縦長のポートレート撮影を実行するために第１の位置に配置された状態を示しており、図４は、可般型Ｘ線検出器１が横長のランドスケープ撮影を実行するために第２の位置に配置された状態を示している。
【００２０】
可般型Ｘ線検出器１は、図１０および図１１と同様、フラットパネルディテクタ等の長方形のＸ線検出部２と、このＸ線検出部２の側方に配設された持ち手部３とから構成される。持ち手部３には、搬送を容易とするための孔部４が形成されている。図３および図４に示すように、この可搬型Ｘ線検出器１における持ち手部３の端部とこの持ち手部３と対向する側の第１の辺１０１との距離は、持ち手部３および第１の辺１０１と直交する側の辺である第２の辺１０２と第３の辺１０３の間の距離より大きくなっている。
【００２１】
この可搬型Ｘ線検出器１を装着するためのトレイ３１は、一対のレール３３、３４の作用により、Ｘ線検出器収納部２３内から側方に引き出し可能な構成を有する。このトレイ３１には、可般型Ｘ線検出器１を位置決めするための複数個の当たり部材３５、３６、３７、３８が配設されている。また、このトレイ３１には、可般型Ｘ線検出器１を固定するための押さえ部材４１が配設されている。この押さえ部材４１は、後述するバネ５６の作用により、可般型Ｘ線検出器１を当たり部材３５、３６方向に付勢する。また、この押さえ部材４１には、孔部４２が形成されている。さらに、トレイ３１におけるＸ線検出器収納部２３とは逆側の端部には、取っ手３２が付設されている。
【００２２】
なお、以下の実施形態においては、Ｘ線検出部２として長方形の形状を有するものを使用し、このＸ線検出部２を縦長として使用するポートレート透視撮影姿勢と、このＸ線検出部２を横長として使用するランドスケープ透視撮影姿勢とで透視撮影を実行している。Ｘ線検出部２として、例えば、半切りタイプ（１７インチ×１４インチ）のものを使用した場合には、ランドスケープ透視撮影姿勢では、体格の大きな被検者の骨盤を一枚の画像に修めることが可能となる。これに対して、ポートレート透視撮影姿勢では、例えば点滴注入腎盂造影法（ＤＩＰ）において腎臓から膀胱までを一枚の画像に修めることが可能となる。
【００２３】
図３に示すように、可般型Ｘ線検出器１が縦長のポートレート撮影を実行するために第１の位置に配置される場合においては、可般型Ｘ線検出器１の下端部(第２の辺１０２)は当たり部材３６、３７と当接して位置決めされ、可般型Ｘ線検出器１の左端部（第１の辺１０１）は当たり部材３６と当接して位置決めされ、可般型Ｘ線検出器１における持ち手部３の曲線部分は当たり部材３８と当接して位置決めされる。そして、押さえ部材４１が可般型Ｘ線検出器１における持ち手部３の端縁と係合し、可般型Ｘ線検出器１を当たり部材３６方向に付勢することにより可般型Ｘ線検出器１を位置決めおよび固定する。
【００２４】
一方、図４に示すように、可般型Ｘ線検出器１が横長のランドスケープ撮影を実行するために第２の位置に配置される場合においては、可般型Ｘ線検出器１における持ち手部３の曲線部分は当たり部材３６、３７と当接して位置決めされ、可般型Ｘ線検出器１の左端部（第２の辺１０２）は当たり部材３５、３６と当接して位置決めされる。そして、押さえ部材４１が可般型Ｘ線検出器１における第３の辺１０３と係合し、可般型Ｘ線検出器１を当たり部材３５、３６方向に付勢することにより可般型Ｘ線検出器１を位置決めおよび固定する。
【００２５】
図５は、押さえ部材４１の移動機構を示す側断面図である。ここで、図５(ａ)は図３におけるＡ−Ａ断面矢視図であり、図５(ｂ)は図３におけるＢ−Ｂ断面矢視図である。
【００２６】
図５(ａ)に示すように、押さえ部材４１には、一対のネジ５２およびワッシャ５３が配設されている。このネジ５２は、トレイ３１の下面に付設された切り起こし部５１に形成された長孔５４内を移動可能となっている。また、図５(ｂ)に示すように、押さえ部材４１に付設された板状部材５５は、バネ５６を介して、トレイ３１の下面に立設されたピン５７と接続されている。このため、押さえ部材４１は、バネ５６の作用により、上述した可般型Ｘ線検出器１を押圧する方向（図５における左方向）に付勢されている。
【００２７】
図５(ａ)および図５(ｂ)に示すように、この押さえ部材４１には、可般型Ｘ線検出器１における持ち手部３の端縁と当接して可搬型Ｘ線検出器１を押圧する第１係合部４３と、可般型Ｘ線検出器１における第３の辺１０３と当接して可搬型Ｘ線検出器１を押圧する第２係合部４４とが形成されている。図３に示すように、可般型Ｘ線検出器１が縦長のポートレート撮影を実行するために第１の位置に配置される場合においては、押さえ部材４１における第１係合部４３が可般型Ｘ線検出器１における持ち手部３の端縁と当接して可搬型Ｘ線検出器１を押圧する。一方、図４に示すように、可般型Ｘ線検出器１が横長のランドスケープ撮影を実行するために第２の位置に配置される場合においては、押さえ部材４１における第２係合部４４が可般型Ｘ線検出器１における第３の辺１０３と当接して可搬型Ｘ線検出器１を押圧する。
【００２８】
次に、可搬型Ｘ線検出器１をトレイ３１から取り外す動作について説明する。図６は、縦長のポートレート撮影を実行するために第１の位置に配置された可般型Ｘ線検出器１をトレイ３１から取り外す様子を示す概要図であり、図７は、そのときの取り外し動作を示す説明図である。また、図８は、横長のランドスケープ撮影を実行するために第２の位置に配置された可般型Ｘ線検出器１をトレイ３１から取り外す様子を示す概要図であり、図９は、そのときの取り外し動作を示す説明図である。
【００２９】
可般型Ｘ線検出器１が縦長のポートレート撮影を実行するために第１の位置に配置される場合においては、図６および図７（ａ）に示すように、押さえ部材４１における第１係合部４３が可般型Ｘ線検出器１における持ち手部３の端縁と当接して可搬型Ｘ線検出器１を押圧している。この時には、押さえ部材４１における第２係合部４４は、可搬型Ｘ線検出器１における持ち手部３に形成された孔部４内に配置されており、持ち手部３とは係合していない。このときの押さえ部材４１の孔部と取っ手３２との距離は、図６に示すａとなっている。
【００３０】
この状態において、オペレータが押さえ部材４１の孔部４２と取っ手３２とを握ることにより、押さえ部材４１を可搬型Ｘ線検出器１から離隔する方向に移動させる。これにより、図７（ｂ）に示すように、押さえ部材４１における第１係合部４３が可般型Ｘ線検出器１における持ち手部３の端縁から離隔する。これにより、図７（ｃ）に示すように、可搬型Ｘ線検出器１をトレイ３１から取り外すことができる。
【００３１】
一方、可般型Ｘ線検出器１が横長のランドスケープ撮影を実行するために第２の位置に配置される場合においては、図８および図９（ａ）に示すように、押さえ部材４１における第２係合部４４が可般型Ｘ線検出器１における第３の辺１０３(図４参照)と当接して可搬型Ｘ線検出器１を押圧している。この時には、押さえ部材４１における第１係合部４３は、可搬型Ｘ線検出器１とは係合していない。このときの押さえ部材４１の孔部と取っ手３２との距離は、図８に示すｂとなっている。
【００３２】
この状態において、オペレータが押さえ部材４１の孔部４２と取っ手３２とを握ることにより、押さえ部材４１を可搬型Ｘ線検出器１から離隔する方向に移動させる。これにより、図９（ｂ）に示すように、押さえ部材４１における第２係合部４４が可般型Ｘ線検出器１における第３の辺１０３から離隔する。これにより、図９（ｃ）に示すように、可搬型Ｘ線検出器１をトレイ３１から取り外すことができる。
【００３３】
ここで、上述した距離ａと距離ｂとは、押さえ部材４１における第１係合部４３と第２係合部４４との距離を変更することで変更することができる。すなわち、押さえ部材４１における第１係合部４３と第２係合部４４との距離を調整して、距離ａと距離ｂとを一致させることが可能となる。すなわち、この実施形態においては、押さえ部材４１における第１係合部４３と第２係合部４４との距離を変更することで、距離ａと距離ｂとを一致させることにより、可搬型Ｘ線検出器１の方向にかかわらず、オペレータが押さえ部材４１の孔部４２と取っ手３２とを握るときの感覚を一定に維持することが可能となり、可般型Ｘ線検出器１をトレイ３１から取り外すときにミスが生ずることを有効に防止することを可能としている。
【００３４】
なお、上述した実施形態においては、Ｘ線検出部２として長方形の形状を有するものを使用し、このＸ線検出部２を縦長として使用するポートレート透視撮影姿勢と、このＸ線検出部２を横長として使用するランドスケープ透視撮影姿勢とで透視撮影を実行しているが、この発明は、このような実施形態に限定されるものではない。すなわち、この発明は、Ｘ線検出部として正方形の形状を有するものを使用する場合にも適用可能である。例えば、Ｘ線検出部において発生した欠損画素が、透視撮影された画像における関心部位付近に存在した場合には、正方形の形状を有するＸ線検出部の姿勢を９０度回転させることにより、関心部位を欠損画素ではない適正な画素により透視撮影することが可能となる。
【符号の説明】
【００３５】
１ 可搬型Ｘ線検出器
２ Ｘ線検出部
３ 持ち手部
４ 孔部
１１ トレイ
１２ 当たり部材
１３ 当たり部材
１４ 当たり部材
１５ 押さえ部材
１６ 孔部
１７ Ｘ線検出器収納部
１８ 取っ手
２２ 支柱
２３ Ｘ線検出器収納部
２４ テーブル
２５ 基台
３１ トレイ
３２ 取っ手
３３ レール
３４ レール
３５ 当たり部材
３６ 当たり部材
３７ 当たり部材
３８ 当たり部材
４１ 押さえ部材
４２ 孔部
４３ 第１係合部
４４ 第２係合部
５２ ネジ
５１ 切り起こし部
５３ ワッシャ
５４ 長孔
５５ 板状部材
５６ バネ
１０１ 第１の辺
１０２ 第２の辺
１０３ 第３の辺
Ｍ 被検者
【図１】
0005699914.tif 000002
【図２】
0005699914.tif 000003
【図３】
0005699914.tif 000004
【図４】
0005699914.tif 000005
【図５】
0005699914.tif 000006
【図６】
0005699914.tif 000007
【図７】
0005699914.tif 000008
【図８】
0005699914.tif 000009
【図９】
0005699914.tif 000010
【図１０】
0005699914.tif 000011
【図１１】
0005699914.tif 000012